(57)【要約】  本発明は、主に、ブラシケージ（１３）と渦巻バネ（３６）とを有するアセンブリであって、前記渦巻バネ（３６）は、軸（Ｙ）と、前記軸（Ｙ）の周囲に巻かれた巻付部（３７）と、前記巻付部（３７）の端部から延びるアーム（３９）と、を有し、前記ブラシケージ（１３）は少なくとも１つの側壁（２６、２７）を有し、前記側壁（２６、２７）は、前記アーム（３９）の端部がブラシの端面の少なくとも一部に当接可能であるように、前記アーム（３９）が前記側壁（２６、２７）を通過するための開口（４３）を有する、アセンブリにおいて、前記アーム（３９）は第１部分（３９１）を有し、前記第１部分（３９１）の、前記軸（Ｙ）に沿って計測した幅（Ｌ５）が、前記巻付部（３７）の、前記渦巻バネ（３６）の前記軸（Ｙ）に沿って計測した幅（Ｌ６）と異なる、ことを特徴とするアセンブリに関する。
2018503019.tif 000002
【特許請求の範囲】
【請求項１】
ブラシケージ（１３）と渦巻バネ（３６）とを有するアセンブリであって、
-  前記渦巻バネ（３６）は、軸（Ｙ）と、前記軸（Ｙ）の周りに巻かれた巻付部（３７）と、前記巻付部（３７）の端部から延びるアーム（３９）と、を有し、
-  前記ブラシケージ（１３）は、少なくとも１つの側壁（２６、２７）を有し、前記側壁（２６、２７）は、前記アーム（３９）の端部がブラシ（１５）の端面の少なくとも一部に支持され得るように、前記アーム（３９）が前記側壁（２６、２７）を通過するための開口（４３）を有し、
前記アーム（３９）は第１部分（３９１）を有し、前記第１部分（３９１）の、前記軸（Ｙ）に沿って計測した幅（Ｌ５）が、前記巻付部（３７）の、前記渦巻バネ（３６）の前記軸（Ｙ）に沿って計測した幅（Ｌ６）と異なる、
ことを特徴とするアセンブリ。
【請求項２】
前記アーム（３９）は第１部分（３９１）を有し、前記第１部分（３９１）の、前記軸（Ｙ）に沿って計測した幅（Ｌ５）が、前記巻付部（３７）の、前記バネ（３６）の前記軸（Ｙ）に沿って計測した幅（Ｌ６）より小さい、
ことを特徴とする請求項１に記載のアセンブリ。
【請求項３】
前記アーム（３９）の前記第１部分（３９１）は、少なくとも、前記バネ（３６）の経路の始点と前記バネ（３６）の経路の終点との間において、前記側壁（２６、２７）の前記開口（４３）を通過する、前記アームの部分である、
ことを特徴とする請求項１又は２に記載のアセンブリ。
【請求項４】
前記アーム（３９）は、前記第１部分（３９１）と前記ブラシケージ（１３）内に配置された前記アーム（３９）の前記端部との間に延在する第２部分（３９２）を有し、
前記第２部分（３９２）の幅（Ｌ７）が、前記第１部分（３９１）の幅（Ｌ５）より大きい、
ことを特徴とする請求項１乃至３のいずれか一項に記載のアセンブリ。
【請求項５】
前記第２部分（３９２）の幅（Ｌ７）は、前記バネ（３６）の前記巻付部（３７）の幅（Ｌ６）に等しい、
ことを特徴とする請求項４に記載のアセンブリ。
【請求項６】
前記アーム（３９）の前記第１部分（３９１）は、４〜８ｍｍの幅（Ｌ５）を有する、
ことを特徴とする請求項１乃至５のいずれか一項に記載のアセンブリ。
【請求項７】
前記巻付部（３７）は、前記アーム（３９）の前記第１部分（３９１）の幅（Ｌ５）に対して１ｍｍ大きい幅（Ｌ６）を有する、
ことを特徴とする請求項１乃至６のいずれか一項に記載のアセンブリ。
【請求項８】
前記ブラシケージ（１３）は、前記ブラシ（１５）用の収容部（２３）の外側で延在する突起（３８）を有し、前記バネ（３６）の前記巻付部（３７）は、前記突起（３８）の周囲に取付けられる、
ことを特徴とする請求項１乃至７のいずれか一項に記載のアセンブリ。
【請求項９】
請求項１乃至８のいずれか一項に記載のアセンブリを有する電動機用ブラシホルダ（１０）。
【請求項１０】
請求項９に記載のブラシホルダ（１０）を有する電動機。
【請求項１１】
請求項１０に記載の電動機を有する自動車用スタータ。
【発明の詳細な説明】
【技術分野】
【０００１】
本発明は、ブラシケージと渦巻バネとを有するアセンブリ、並びに、対応するブラシホルダ、電動機、及びスタータに関する。特に、本発明は、自動車用スタータにおいて、特に熱機関の自動停止及び再始動の機能（いわゆるストップ・アンド・スタート機能）を有する車両に設置された自動車用スタータにおいて、有利であるがこれに限られない。
【背景技術】
【０００２】
公知の態様で、ブラシホルダがスタータのロータシャフトに取付けられ、これにより、ブラシが、ロータシャフトと一体のコレクタと協働する。ブラシホルダは、一連のケージを支持する支持盤を有し、それぞれのケージはブラシを収容するように使用される。導電材料からなるブラシによって、ロータの導電体における電流を切替えることでロータに給電することができる。
【０００３】
この目的のために、各ブラシは、ロータ巻線に連結された導電性のコレクタ片を擦るように設計された面を有する。ブラシとコレクタ片との接触を確保するように、バネ等の弾性手段が、ケージに受容された各ブラシにコレクタの方向に力を及ぼす。
【０００４】
ブラシは、交互に変わる極性を有している。したがって、正の極性を有するブラシは、それらの編組（ｂｒａｉｄ）を介して、ブラシ間コネクタに電気的に接続される。ブラシ間コネクタには、スタータの接触子から延びる給電ワイヤが電気的に接続される。また、電流の戻り用に設計されたブラシは、盤に溶接されたそれらの各編組によって、装置のアースに電気的に接続される。
【０００５】
特定のブラシホルダ構成において、突起に取付けられる巻付部と、巻付部の端部から延びるアームとを有する渦巻タイプのバネであって、ブラシの、コレクタ片に接触している面とは逆の端面に当接するように設計されたバネを使用することが知られている。このバネがブラシを押圧し得るように、アームはブラシケージの側壁に設けられた開口を貫通している。
【０００６】
課題は、コンパクトなアセンブリを得るという必要性から巻付部の直径が制限され、且つ、少ないコストで標準的なバネを使用できるように厚さも制限される、という知識の下で、比較的大きい押圧力を有するバネを製造可能とすることである。したがって、本発明は、バネのアームの通過を許容する開口を大きくするとケージが機械的に脆弱になるため、ブラシケースの構造は変更せずに、バネの幅に関するパラメータをその力に適合するように変更することを提案する。
【発明の概要】
【０００７】
この目的のために、本発明は、
ブラシケージと渦巻バネとを有するアセンブリであって、
-  前記渦巻バネは、軸と、前記軸の周りに巻かれた巻付部と、前記巻付部の端部から延在するアームと、を有し、
-  前記ブラシケージは少なくとも１つの側壁を有し、前記側壁には、前記アームの端部がブラシの端面の少なくとも一部に当接可能であるように、前記アームが前記側壁を通過するための開口が設けられており、
前記アームは第１部分を有し、前記第１部分の、前記軸に沿って計測した幅が、前記巻付部の、前記渦巻バネの前記軸に沿って計測した幅と異なる、
ことを特徴とするアセンブリ、
を提案する。
【０００８】
したがって、渦巻バネのアームの一部と巻付部との間の高さの差により、パワー生成のためのバネの機能部を、ブラシを支持するための機能部に対して無関係とすることが可能となる。したがって、バネの力を最大にできる一方で、バネのアームの端部とブラシの対応する面との間の好適な支持領域を確保することができる。
【０００９】
一実施形態によれば、前記アームは第１部分を有し、前記第１部分の、前記軸に沿って計測した幅が、前記巻付部の、前記バネの前記軸に沿って計測した幅より小さい。
【００１０】
一実施形態によれば、前記アームの前記第１部分は、少なくとも、前記バネの経路の始点と前記バネの経路の終点との間で、前記側壁の前記開口を通過する、という前記アームの部分である。
【００１１】
一実施形態によれば、前記アームは、前記第１部分と前記ブラシケージ内に配置された前記アームの前記端部との間に延在する第２部分を有し、前記第２部分の幅が、前記第１部分の幅より大きい。
【００１２】
一実施形態によれば、前記第２部分の幅は、前記バネの前記巻付部の幅に等しい。
【００１３】
一実施形態によれば、前記アームの前記第１部分は、４〜８ｍｍの幅を有する。
【００１４】
一実施形態によれば、前記巻付部は、前記アームの前記第１部分の幅に対して１ｍｍ大きい幅を有する。
【００１５】
一実施形態によれば、前記ブラシケージは、前記ブラシ用の収容部の外側で延在する突起を有し、前記バネの前記巻付部は、前記突起の周囲に取付けられる。
【００１６】
また、本発明は、上述のアセンブリが設けられた自動車用ブラシホルダに関する。
【００１７】
更に、本発明は、上述のブラシホルダを有する電動機に関する。
【００１８】
また、本発明は、上述の電動機を有する自動車用スタータに関する。
【００１９】
本発明は、以下の説明を読み添付図面を精査することでより良く理解されるであろう。これらの図面は完全に例示のためであって本発明を制限するものでは全くない。
【図面の簡単な説明】
【００２０】
【図１】本発明による電動機のブラシホルダの斜視図。
【図２】図１のブラシホルダの支持盤の斜視図。
【図３ａ】本発明によるブラシケージの第１実施形態を示す側面図。
【図３ｂ】本発明によるブラシケージの第１実施形態を示す斜視図。
【図３ｃ】本発明によるブラシケージの第１実施形態を示す斜視図であって、図３ｂとは異なる角度で見た図。
【図４】本発明によるブラシケージの第２実施形態を示す斜視図。
【図５】本発明によるブラシケージの第３実施形態を示す斜視図。
【図６ａ】本発明による渦巻バネの一実施形態を示す斜視図。
【図６ｂ】本発明による渦巻バネの他の実施形態を示す斜視図。
【図６ｃ】本発明による渦巻バネのさらに他の実施形態を示す斜視図。
【発明を実施するための形態】
【００２１】
同一、同様又は類似の要素には、図面において同じ番号が付されている。
【００２２】
図１は、自動車用スタータとともに使用されるように設計された、本発明によるブラシホルダ１０を示す。このブラシホルダ１０は、実質的に環状の支持盤１２を有し、この上に、それぞれがブラシ１５を収容するように使用される一連のケージ１３が固定される。支持盤１２の軸Ｘは、ブラシホルダ１０の軸と一致する。
【００２３】
図２に明瞭に示される支持盤１２は、金属プレート１２１と、この金属プレート１２１の両側に設けられた上方成形層１２２とを有する一体部品である。上方成形層１２２は、良好な電気的絶縁を保証するプラスチック材料で作製される。上方成形層１２２は、支持盤１２の全危険領域、すなわち短絡が発生し得る全ての領域を覆う。上方成形層１２２は感熱性であって、過熱状態の場合に短絡を発生させ得るように、所定の温度以上で変形可能である。典型的には、上方成形層１２２に使用されるプラスチック材料は、繊維で満たされたＰＡ４．６又はＰＡ６．６ポリアミド、又はＰＳＳポリプロピレン等の熱可塑性材料である。
【００２４】
支持盤１２とこれが支持するケージ１３は、電気機械のロータシャフト用の後方軸受を形成するカバー（図示せず）に固定される。また、支持盤１２の中央部はオリフィス１６を有し、このオリフィス１６によって、支持盤１２がブラシケージ１３及びブラシ１５とともに形成するアセンブリが、スタータのロータのシャフトの周囲に取付けられる。
【００２５】
ブラシ１５が電気機械ロータ（図示せず）のコレクタにより支持された小片部と電気的に接触することができるように、各ブラシ１５は、Ｘ軸側に開放するケージ１３の内部でスライド可能に取付けられている。
【００２６】
ブラシ１５は、交互にかわる極性を有している。したがって、正の極性を有するブラシ１５は、それらの編組１９それぞれを介して、ブラシ間コネクタ２０に接続される。ブラシ間コネクタ２０には、スタータの接触子から延びる給電ワイヤが、電気的に接続される。本例において、ブラシホルダ１０のシール性を確保するように、ブラシ間コネクタ２０は、スタータのケースと協働する給電貫通スリーブ２２を通過するピン２１を介して、給電ワイヤに接続される。
【００２７】
正のブラシ１５とその対応するケージ１３は、スタータの良好な動作のために、負の極性と電気的に絶縁されている。この絶縁は、上方成形層１２２により得られる。可撓性の編組１９は、プレート１２１への溶接を容易とするように、有利には、銅又は銅合金からなる。編組１９は、ヒューズとしても機能する。また、電流の戻りを目的として設計された負の極性を有するブラシ１５は、装置のアースに、支持盤１２のプレート１２１に溶接されたそれぞれの編組１９により、電気的に接続される。
【００２８】
より具体的には、図３ａ乃至図３ｃに明瞭に示すように、各ブラシケージ１３は、２つの平行な対向する側壁２６、２７により画定された、ブラシ１５用の収容部２３を有する。側壁２６、２７は、上側連結壁２８により互いに連結される。各ケージ１３は、後で詳述する固定装置３１によって、支持盤１２に固定される。固定装置３１は、側壁２６、２７の下側縁部から延びる端壁３２、３３に属する。
【００２９】
また、各ケージ１３に関連する渦巻バネ３６が、対応するブラシ１５を径方向にコレクタの接触片に向かって押圧する。この目的のために、各バネ３６は、軸Ｘに対して軸方向に延在する突起３８の周囲に取付けられる巻付部３７と、ブラシ１５の、コレクタ片に接触する面とは反対の面を支持するように設計されたアーム３９と、を有する。ブラシ１５の収容部２３の外側で延在する突起３８は、本例において、各ケージ１３の端壁３２、３３のうちの一方を折り曲げることにより得られる。
【００３０】
図３ａに明瞭に示すように、側壁２６は、バネ３６のアーム３９が通過するための開口４３を有する。この側壁２６は、軸Ｘに対して直交する方向において計測される、コレクタからより離れた第１端部５１とコレクタにより近い（バネのアーム３９とは反対側に配置された）第２端部５２と間の長さＬ０を有する。
【００３１】
開口４３は、２つの端部５１、５２の間に、少なくとも１つの第１部分４３１を有する。第１部分４３１は、第２端部５２に近づくにつれて幅が広くなる。すなわち、この第１部分４３１の、軸Ｘに沿って計測した幅Ｌ１は、第２端部５２に近づくにつれて拡大する。開口４３のこの第１部分４３１は、側壁２６に設けられた２つの対向する縁部４４、４５を有する。拡大部を形成するように、縁部４４の一方は連結壁２８に対して傾斜するとともに、第２縁部４５も、第１縁部４４の傾斜方向に対して反対方向に傾斜する。変形例として、２つの縁部４４、４５のうちの一方のみが、拡大部を形成するように傾斜する。
【００３２】
また、開口４３は、第２部分４３２を有する。第２部分４３２は、第１端部５１と第１部分４３１との間に延びている。この第２部分４３２は、第１端部５１に近づくにつれて幅が広くなる。すなわち、この第２部分４３２の、軸Ｘに沿って計測した幅Ｌ２は、第1端部５１に近づくにつれて拡大する。この第２部分４３２により、バネ３６のアーム３９の挿入とセンタリングを容易とすることができる。
【００３３】
開口４３は、第３部分４３３を有する。第３部分４３３は、第２端部５２と第１部分４３１との間に延在する。この第３部分４３３は、第１端部５１に近づくにしたがって幅が広くなる。すなわち、この第３部分４３３の、軸Ｘに沿って計測した幅Ｌ３は、第１端部５１に近づくにしたがって拡大する。この第３部分４３３により、ブラシ１５の摩擦によってブラシ１５の編組１９がコレクタに向かって変位する際に、編組１９の挿入を容易とすることができる。
【００３４】
開口４３は、第４部分４３４を有する。第４部分４３４は、第２端部５２と第３部分４３３との間に延在する。この第４部分４３４は、壁２６の平行な縁部により画定される。換言すれば、この第４部分４３４は、軸Ｘに沿って計測された幅Ｌ４であって実質的に一定の幅Ｌ４を有する。この部分４３４の縁部は、壁２６を形成する２つの仕切り５５、５６を分離する。全体として「Ｌ」字形状であるこれら２つの仕切り５５、５６は、フィン５７によって互いに連結される。
【００３５】
ケージ１３の剛性を高めるように、図３ｃに明瞭に示すように、フィン５７は２つの部分５７１、５７２を有し、２つの部分５７１、５７２は、互いに対して傾斜する２つの異なる平面内において延在する。対応するケージ１３に収容されたブラシ１５の編組１９がコレクタのできる限り近くを通過するように、開口４３の第４部分４３４は、フィン５７に設けられたノッチ５８内に延在し得ることに留意されたい。
【００３６】
図３ｂに示すように、他方の側壁２７は、開口４３’を有する。開口４３’は、第１部分４３１’と第２部分４３２’とを有する。第１部分４３１’と第２部分４３２’とは、開口４３の第１部分４３１と第２部分４３２と同様の構成をそれぞれ有する。本例において、壁２７に設けられた傾斜した縁部４４’及び４５’は、軸Ｘに対して平行に向けられた縁部４６’によって互いに連結される。換言すれば、側壁２７は、２つの仕切りにより形成され、これらの仕切りは、コレクタ側において、壁２７の平面に延在する材料片により互いに連結される。変形例として、２つの縁部４４’及び４５’のうちの一方が傾斜している。コレクタの側に開口するブラシ１５の面の側において、ケージ１３を機械的に強化するように、フィン５９が壁２７の縁部から延びる。
【００３７】
図１に示すように、その編組１９がプレート１２１に溶接された負の極性のブラシについて、ブラシ１５の編組１９と、対応するバネ３６のアーム３９とを、ケージ１３の同じ側に配置することが可能であろう。本例において、編組１９及びアーム３９は、バネ３６のアーム３９の通過を許容する開口部分４３１、４３２と、編組１９の通過を許容する開口部分４３３、４３４と、を有する壁２６の側に配置される。
【００３８】
また、相互コネクタ２０に溶接された編組１９を有する正の極性のブラシ１５について、バネ３６のアーム３９と編組１９は、ブラシ１５の両側にそれぞれ配置される。本例において、アーム３９が開口４３’の部分４３１’、４３２’を通過するように、バネ３６は壁２７の側に配置されるとともに、編組１９がバネの経路の終点において開口部分４３３、４３４を介して、またフィン５７のノッチ５８を介して通過可能であるように、壁２６の側に配置される。この目的は、ブラシ１５の使用量を最大とするために、編組１９がコレクタのできる限り近くに変位できるようにすることである。
【００３９】
変形例として、図４に示すように、壁２６の開口４３は第４部分４３４を有さず、第３部分４３３がフィン５７に設けられたノッチ５８内へ直接延在している。本例において、開口４３が、フィン５９により互いに連結された「Ｌ」字形状の２つの仕切り５５、５６を分離する。開口４３’と２つの対応する部分４３１’、４３２’とを有する側壁２７は、図３ａ乃至図３ｂの実施形態と同様である。
【００４０】
変形例として図５に示すように、２つの壁２６、２７は対称であって、図４の実施形態と同様に、対応するフィン５７、５９に設けられたノッチ５８内へ延在する第１部分４３１、第２部分４３２及び第３部分４３３を有する同一の開口４３を有する。
【００４１】
また、支持盤１２に固定するためのシステムは、２組の脚部６１、６２により形成される。各組の脚部６１、６２は、端壁３２、３３の２つの縁部から延びる。各組の脚部６１は、支持盤１２を、その厚さに沿って設けられた穴６３（図２参照）を介して、一側から他側に貫通するように設計される。各組の他方の脚部６２は、オリフィス１６を画定する内側輪郭の側面に当接する。図３ａ及び図５に示すように、各組の脚部６１、６２は、互いに対して折り返されて支持盤１２に接触するように設計される。或いは、固定システム３１は、支持盤１２及びブラシケージ１３の端壁３２、３３を貫通する少なくとも１つのリベットを有する。一実施形態において、各ケージ１３は、薄い小型の金属プレートを、実質的にオメガを形成するように折り曲げることにより得られ、その端分岐部は、支持盤１２に固定される。
【００４２】
好適には、負の極性のケージ１３の脚部６１、６２を受容する穴６３と、負の極性のブラシ１５を受容するケージ１３に接触する支持盤１２の領域とは、電気的に絶縁しておらず、電気接触が、負の極性のケージ１３とプレート１２１との間に脚部６１、６２を介して介在し得るようになっている。この接触は、スタータの動作に有害ではない。なぜならば、この接触は、同一の電位、この場合、本適用においてアースの電位、であるように設計された部分間の電気接触の確立に関与するからである。
【００４３】
図６ａ乃至図６ｃに明瞭に示されるように、バネ３６の巻付部３７は、軸Ｙを囲む複数の同軸巻部３７１により形成される。アーム３９は、突起３８の周囲に取付けられる巻付部３７の端部から延在する。アーム３９は、コレクタ片に当接した（支持された）ブラシ１５の面とは反対の、ブラシ１５の後面に当接するように（ブラシ１５の後面に支持されるように）設計される。
【００４４】
図６ａの実施形態において、アーム３９は部分３９１を有し、この部分３９１の、軸Ｙに沿って計測した幅Ｌ５が、巻付部３７の、軸Ｙに沿って計測した幅Ｌ６より小さい。部分３９１は、巻付部３７の幅Ｌ６に等しい幅を有するアーム３９の一部から延びる２つのセットバック部６８により画定されるとともに、アーム３９の材料片の内側に向かって延在する。
【００４５】
アーム３９の、小さい幅を有するこの部分３９１は、バネ３６の経路の始点とバネ３６の経路の終点との間において、側壁２６の開口４３を通過するアーム３９の部分の長さに少なくとも等しい。この点について、バネ３６の経路の始点は、ブラシ１５の寿命の開始点において最大長さを有するブラシ１５に対するバネ３６のアーム３９の位置に対応するとともに、バネ３６の経路の終点は、ブラシ１５の寿命の終了点において最小長さを有するブラシ１５に対するバネ３６のアーム３９の位置に対応することに留意されたい。本例において、部分３９１は、ケージ１３内に配置された、ブラシ１５に当接したアーム３９の端部まで延在する。
【００４６】
図６ｂに示す実施形態において、小さい幅を有する部分３９１は、バネ３６の経路の始点と終点との間において、側壁２６の開口４３を通過するアーム３９の部分の長さに実質的に等しい。本例において、アーム３９は、第１部分３９１とケージ１３内に配置されたアーム３９の端部との間に延在する第２部分３９２を有し得る。第２部分３９２の幅Ｌ７は、第１部分３９１の幅Ｌ５より大きい。本例において、第２部分３９２の幅と巻付部３７の幅Ｌ６は等しいが、これらは異なり得る。部分３９２は、２つのセットバック部６８によりその端部の一方において画成され、他側において、第１部分３９１と第２部分３９２との間に配置された２つの別の同様のセットバック部６９により画定される。
【００４７】
特定の実施形態によれば、第１部分３９１は、４〜８ｍｍの幅Ｌ５を有する。巻付部３７は、第１部分３９１の幅Ｌ５に対して１ｍｍ大きい幅Ｌ６を有する。渦巻バネ３６を形成する金属片は、０．２５〜０．７ｍｍの厚さを有する。巻付部３７の直径はおよそ１０ｍｍである。これらの寸法は適用例により異なり得ることを理解されたい。
【００４８】
多くの場合において、バネ３６のパワーを最大とするように、巻付部３７は、開口４３を通過するアーム３９の部分３９１より幅が広いが、厳しいサイズ制約のある特定の実施形態において、バネ３６のアーム３９は、図６ｃに示すように、巻付部３７の幅Ｌ６より大きい幅Ｌ５を有する部分３９１を含む。このようなタイプの構成により、アーム３９は、ブラシ１５に当接する領域（支持される領域）に適合し得るとともに、バネ３６は小さい容積を有し得る。本例において、セットバック部６８は、巻付部３７と同じ幅を有するアーム３９の部分から、バネ３６を形成する材料片の外側に向かって延在する。
【００４９】
変形例として、バネ３６のアーム３９の端部は、端面の一部のみに当接している（支持されている）。この部分は、例えば溝７５の底部に対応し得る。これにより、図１に示すように、バネ３６の変位に際して、バネ３６のアーム３９の案内を容易とすることができる。
【００５０】
請求項により規定される本発明の内容を超えることなく、当業者が上述のブラシホルダ１０の構成を変更できることが理解されるであろう。
【００５１】
したがって、特に変形例として、ブラシホルダ１０は、４つ以上のブラシ１５を有し、各ブラシ１５は、例えば、支持盤１２の反対側に配置された別のブラシと関連付けられ得る。
【００５２】
本例において、ブラシホルダ１０は、自動車のスタータの電動機のブラシホルダである。変形例として、ブラシホルダ１０は、オルタネータ又はオルタネータ-スタータにも属し得る。
【図１】
2018503019.tif 000003
【図２】
2018503019.tif 000004
【図３ａ】
2018503019.tif 000005
【図３ｂ】
2018503019.tif 000006
【図３ｃ】
2018503019.tif 000007
【図４】
2018503019.tif 000008
【図５】
2018503019.tif 000009
【図６ａ】
2018503019.tif 000010
【図６ｂ】
2018503019.tif 000011
【図６ｃ】
2018503019.tif 000012
【国際調査報告】
2018503019.tif 000013
2018503019.tif 000014
2018503019.tif 000015
2018503019.tif 000016
2018503019.tif 000017
2018503019.tif 000018